(57)【特許請求の範囲】
【請求項１】
厚紙製の基材と透明フィルムを重ねてなり、前記基材と透明フィルム間に、表面に文字または図形を表記したカードを保持するカード保持具であって、カード保持具の前記カードを保持することのできる一辺に沿って、前記基材と透明フィルムが面接触の状態で固定されていると共に、前記厚紙製の基材は、前記カードの裏面に表記されている文字または図形の位置に対応した位置に開口部を備えていることを特徴とするカード保持具。
【発明の詳細な説明】
【０００１】
【発明の属する技術分野】
本発明はカードを保持するカード保持具に関するものである。
【０００２】
【従来の技術】
従来から、幼児教育の教材として、フラッシュカードが用いられている。フラッシュカードは、Ｂ６版からＡ４版程度の大きさのカードで、表面に種々の物品のイラスト、絵画、記号（地図記号など）、ひらがな、カタカナ、漢字、アルファベットなどの文字が表記されている。
【０００３】
これらのフラッシュカード（以下カードとする）を、物品のイラスト、絵画、記号（以下これらを図形とする）のカードの場合はそれらの名称を、文字のカードの場合はその文字を口頭で読み上げながら０．５〜１秒に一枚の早さで幼児（以下被実施者Ｑとする）に見せて行く。具体的には、たとえば図１４のように実施者Ｐと被実施者Ｑが向かい合い、実施者Ｐは１０枚程度重ねたカードＣ３を左手に持ち、右手で矢印のように実施者Ｐ側の最後部のカードを摘み被実施者Ｑ側の最前部に移動させて行くようにする。
【０００４】
カードは使用するときの扱いやすさの点で、材質として通常、腰のある厚紙が用いられている。腰のない薄い紙は重ねたものを手で保持しにくいため、カードの材質として不適当である。
【０００５】
一人の幼児に、１日に見せるカードは２０〜３０枚であり、数日毎に一部を入れ替える。カードを見せる期間は２〜３年間であるので、繰り返し見せるものもあるが、カードは数百枚から千枚或いはそれ以上必要である。このように、カードは大量に用意する必要があるが、従来の厚紙のカードは、高価になる、保管に場所をとるといった問題があった。
【０００６】
そこで、薄い紙からなるカードを適切な腰の強さを備えた板状の基材に着脱自在に保持させたものを１枚のカードとして使用することが考えられる。
【０００７】
シート状の物品を基材に着脱自在に保持させる公知の手段としては、例えば特許文献１に開示されている「アルバム用シート」がある。当該手段は、静電吸着可能な基材と、透明フィルムとの間にシート状の物品（写真）を保持するものであるが、一旦保持されたシート状の物品を取り外す場合は静電力に抗して透明フィルムを基材から離さなければならないため、頻繁にシート状物品を交換する必要のある使用目的には不向きである。
【０００８】
【特許文献１】
特開平１１−１９２７９０
【０００９】
【発明が解決しようとする課題】
本発明は、斯かる従来技術の問題点を解決するべくなされたもので、容易にカードを交換することを可能にするカード保持具を提供することを課題とする。
【００１０】
【課題を解決するための手段】
上記課題を達成するために、本発明に係るカード保持具は、厚紙製の基材と透明フィルムを重ねてなり、前記基材と透明フィルム間に、表面に文字または図形を表記したカードを保持するカード保持具であって、カード保持具の前記カードを保持することのできる一辺に沿って、前記基材と透明フィルムが面接触の状態で固定されていると共に、前記厚紙製の基材は、前記カードの裏面に表記されている文字または図形の位置に対応した位置に開口部を備えていることを特徴とする。
【００１１】
斯かる発明によれば、カード保持具は、使用する時に下側となり、カードを保持することのできる辺に沿った部分で、厚紙製の基材（以下基材とする）と透明フィルムが固定されているため、カードが重力により脱落することなく、基材と透明フィルム間に保持させることができる。
【００１２】
また、重ねられた基材と透明フィルムが前記辺に沿って面接触の状態で固定されているため、透明フィルムは、基材上に、基材に平行に片持ち状態で支持されることになる。従って、透明フィルムの自由端側を基材に対して開くと、透明フィルムを基材に平行な位置に戻す弾性的な力が作用し、基材と透明フィルム間にカードを挿入するとカードは両者間に保持されることになる。
【００１３】
透明フィルムは基材に対して自在に開閉できるので、保持させたカードを簡単に交換することができ、カード自体は安価な薄い紙製のものを使用することができる。従って、２０乃至３０のカード保持具を用意することにより、多くの費用をかけることなく多数のカードを利用することができ、カードの保管にあたっても従来の厚紙製のものより場所を取らない。
【００１４】
透明フィルムとしては、表面が鏡面仕上げされているものを使用すれば、指との密着性がよいのでカード保持具を摘むとき滑りにくく、カード保持具を速くめくることができる。さらに基材と指間の滑りを止め、カード保持具を摘みやすくするため、基材の反透明フィルム側の面の一部または全面を樹脂でコーティングしてもよい。
【００１５】
透明フィルムとしては、ポリプロピレン、塩化ビニール、ＰＥＴなどの樹脂よりなる厚さ０．１５〜０．８ｍｍ程度の、弾性を有するフィルムが好適に用いられる。透明フィルムがこれより薄い場合はカードを安定して保持しにくく、厚い場合は保持具の重量が増し、速くめくることが困難になる。また、透明フィルムは、カードを基材と透明フィルム間に保持したときに、カード表面の文字または図形が見えるものであれば、半透明のものでもよい。
【００１６】
基材の厚さは、扱い易さの点で、好ましくは０．３〜１．５ｍｍ、特に好ましくは０．５〜１ｍｍである。
【００１７】
基材と透明フィルムの固定は、接着剤、両面テープ、金具、溶着などにより行うことができる。
【００２１】
前記基材は、前記カードの裏面に表記されている文字または図形の位置に対応した位置に開口部を備えるように構成される。
【００２２】
斯かる発明によれば、実施者は前記開口部に現れている、カードの裏面の文字または図形の表記を読みとることができる。なお、開口部は複数箇所に設けてもよい。
【００２５】
【発明の実施の形態】
以下、本発明の好ましい実施の形態について図面を参照しながら説明する。
【００２６】
図１は本発明の一実施の形態に係るカード保持具２０の正面図、図２は図１のＡ−Ａ断面図である。１は薄板状の基材としての厚さ０．５ｍｍ、坪量３５０ｇ／ｍ２の厚紙製の基材、２は表面が鏡面仕上げされているポリプロピレン製の厚さ０．２ｍｍの透明フィルムである。基材１と透明フィルム２は、共に略Ｂ６版の大きさのもので、カード保持具２０の使用時に下側となる、カードを保持することのできる一辺としての辺３に沿った細長い長方形の部分４が、両面テープ５で面接触で固定されている。
【００２７】
図３はカードの出し入れのためにカード保持具２０の基材１と、透明フィルム２とを相互に開いた状態を示す縦断面図である。
【００２８】
図４は図１のカード保持具２０に、厚さ０．２ｍｍ、大きさＢ６版のカードＣ１を保持させた状態を示す縦断面図である。
【００２９】
なお以下の実施の形態で特に断らない限り基材１及び透明フィルム２の材質と大きさは上記カード保持具２０の場合と同じである。
【００３０】
また基材１と透明フィルム２は図５のカード保持具３０のように接着材で固定してもよい。斜線部６は接着剤により面接触で固定されている部分、７は固定部分に挿入されるカードＣ１とほぼ等しい厚さのスペーサである。
【００３１】
また、基材１と透明フィルム２との固定は図６のカード保持具４０のようにステープラの針のような針金状の金具８で押圧して行うこともできる。この場合も、基材１と透明フィルム２は、辺３に沿った細長い長方形の部分で面接触で固定されていることになる。
【００３２】
次に、カード保持具２０、３０、４０の使用方法を説明する。なお、これらカード保持具の使用方法は全て同じなので、以下はカード保持具２０について説明する。
【００３３】
実施者Ｐは、図１２のようにカードＣ１を保持させたカード保持具２０を１０枚程度重ね、片方の手に辺３を下にして支持して被実施者Ｑと向かい合う。そして０．５〜１秒に１枚の割合で順に他方の手で、矢印のように実施者Ｐ側の最後部のカード保持具２０を摘んで被実施者Ｑ側の最前部に移して行く。
【００３４】
またカード保持具２０は、図１３のように上記と反対に最前部から最後部に移してもよい。この場合は実施者Ｐ、被実施者Ｑの位置は双方共重ねられたカード保持具２０の最前部側である。
【００３５】
いずれの場合もカード保持具２０に保持させたカードＣ１を被実施者Ｑに示すと同時に、図形のカードの場合は図形の名称を、文字のカードの場合は文字を口頭で読み上げる。
【００３６】
以上のようにカード保持具２０をめくる時、最後部から最前部に移す場合、最前部から最後部へ移す場合の何れの場合も、透明フィルム２に指を当てるようにすれば透明フィルム２の表面は鏡面に仕上げられているため平滑で指との密着性がよいので滑りにくく、カード保持具２０を速くめくることができる。
【００３７】
さらに、基材１と指間の滑り止めのため、基材１の反透明フィルム面側を樹脂でコーティングしてもよい。コーティングは全面に施しても、一部分に施してもよい。
【００３８】
前述のように、実施者Ｐが被実施者Ｑにカード保持具２０に保持したカードＣ１を見せるときは、カードＣ１の表面に表示されている図形の名称や、文字を口頭で読み上げるのであるが、図１２のように最後部（実施者Ｐ側）のカード保持具２０を最前部（被実施者Ｑ側）に移して行く場合は、実施者ＰにはカードＣ１の表面に表示されている図形、文字が見えないため、実施者ＰはカードＣ１表面の表示内容の読み上げを記憶により行わなければならない。
【００３９】
そこで、カードＣ１の裏面に、表面に表記されている図形の名称または文字と同じ文字を参照用に表示しておき、基材を透明のものとすれば実施者Ｐはそれらの表示を透明の基材を通して読み取り、読み上げることができる。
【００４０】
図７は、基材９を表面が鏡面仕上げされた透明の樹脂板としたカード保持具５０の縦断面図、図８は裏面に参照用の文字１０を表記したカードＣ２（厚さ０．２ｍｍ、大きさＢ６版）を保持させたカード保持具５０の裏面を示す背面図である。９は透明の基材、１０は透明の基材９を通して見えるカードＣ２の裏面に表記された文字である。透明の基材９と透明フィルム２は両面テープ５で固定されている。
【００４１】
図９は、厚紙製の基材１１に開口部１２を設けたカード保持具６０に、カードＣ２を保持させた状態を示す図である。開口部１２は、カードＣ２の裏面に表記されている文字１０の位置に対応した位置に設けられている。
【００４２】
図１０は、図９のＢ−Ｂ断面図である。基材１１と透明フィルム２は両面テープ７で固定されている。これにより、基材１１が不透明の場合も、実施者ＰはカードＣ２の裏面に表記されている文字を参照することができる。
【００４３】
図１１は、厚紙製の基材１３に切り欠き１４を設けた本発明の一実施の形態に係るカード保持具７０にカードＣ２を保持させた状態を、カード保持具７０の裏面から見た図である。切り欠き１４は、カードＣ２の裏面に表記されている文字１０の位置に対応した位置に設けられているため、基材１３が不透明の場合も、実施者ＰはカードＣ２の裏面に表記されている文字を参照することができる。なお、本実施形態に係るカード保持具７０では、切り欠き１４はカード保持具７０を裏面から見た場合、当該カード保持具７０の左上隅部に設けられているが、切り欠き１４の位置はこれに限定されるものではなく、基材１３の周辺部であり、カードＣ２の裏面に表記されている文字または図形の位置に対応した位置に対応した位置であれば、何れの位置であってもよい。
【００４４】
【発明の効果】
以上のように本発明に係るカード保持具によれば、保持具に保持されているカードを容易に交換することができる。
【図面の簡単な説明】
【図１】本発明の一実施の形態に係るカード保持具の正面図。
【図２】  図１のＡ−Ａ断面図。
【図３】カードの出し入れのためにカード保持具の基材と透明フィルムを相互に開いた状態を示す縦断面図。
【図４】図１のカード保持具にカードを保持させ状態を示す縦断面図。
【図５】基材と透明フィルムを接着材で固定した本発明の一実施の形態に係るカード保持具の正面図。
【図６】基材と透明フィルムの固定を針金状の金具で行った本発明の一実施の形態に係るカード保持具の正面図。
【図７】基材が透明の樹脂からなる本発明の一実施の形態に係るカード保持具の縦断面図。
【図８】裏面に参照用の文字を表示したカードを保持させた、基材が透明の樹脂からなる本発明の一実施の形態に係るカード保持具の裏面を示す背面図。
【図９】厚紙製の基材に開口部を設けた本発明の一実施の形態に係るカード保持具に、カードを保持させた状態を示す図。
【図１０】図９のＢ−Ｂ断面図。
【図１１】厚紙製の基材に切り欠きを設けた本発明の一実施の形態に係るカード保持具にカードを保持させた状態を示す図。
【図１２】本発明に係るカード保持具の使用方法の一例を示す図。
【図１３】本発明に係るカード保持具の使用方法の他の一例を示す図。
【図１４】フラッシュカードの使用方法の一例を示す図。
【符号の説明】
１，９，１１，１３  基材
２  透明フィルム
３  カードを保持することのできる辺
１０  文字
２０，３０，４０，５０，６０，７０  カード保持具
Ｃ１，Ｃ２  カード
【図１】
0004300454.tif 000002
【図２】
0004300454.tif 000003
【図３】
0004300454.tif 000004
【図４】
0004300454.tif 000005
【図５】
0004300454.tif 000006
【図６】
0004300454.tif 000007
【図７】
0004300454.tif 000008
【図８】
0004300454.tif 000009
【図９】
0004300454.tif 000010
【図１０】
0004300454.tif 000011
【図１１】
0004300454.tif 000012
【図１２】
0004300454.tif 000013
【図１３】
0004300454.tif 000014
【図１４】
0004300454.tif 000015